(57)【要約】ＭＡＣ順序配送のための方法および装置が開示される。ＭＡＣ順序配送は、接続毎に活動化することができ、接続セットアップ時にネゴシエートすることができる。非ＡＲＱ接続またはＡＲＱ接続についてのＭＡＣ順序配送は、ＨＡＲＱパケット順序付け情報を使用することによって実行することができる。あるいは、ＭＡＣ順序配送は、ＭＡＣ  ＰＤＵレベルにおけるシーケンス番号（ＳＮ）フィールドを使用して、またはＭＡＣ  ＳＤＵレベルにおけるＳＮフィールドを使用して、実行することができる。ＭＡＣ順序配送を無効化した接続の場合、ＭＡＣ  ＰＤＵは、ＳＮフィールドを含まなくてよく、ＳＮフィールドは、必要な場合には、ＭＡＣ拡張ヘッダまたはＭＡＣサブヘッダ内に含むことができる。
2013504257.tif 000002
【特許請求の範囲】
【請求項１】
媒体アクセス制御（ＭＡＣ）順序配送のための方法であって、
ハイブリッド自動再送要求（ＨＡＲＱ）バーストを受信するステップであって、各ＨＡＲＱバーストは、少なくとも１つのＭＡＣプロトコルデータユニット（ＰＤＵ）を含む、ステップと、
ＭＡＣ  ＰＤＵに収めて搬送されるデータパケットをＭＡＣ層によって上位層に順序通りに配送するステップであって、前記ＭＡＣ順序配送は、ＭＡＣレベルの接続毎に活動化される、ステップと
を含むことを特徴とする方法。
【請求項２】
前記ＭＡＣ  ＰＤＵは、ＨＡＲＱパケット順序付け情報に基づいて並べ直されることを特徴とする請求項１に記載の方法。
【請求項３】
前記ＨＡＲＱバーストについてのリソース割り当て情報の受け取りの順序に基づいて、各ＨＡＲＱバーストに受信機内部バーストシーケンス番号を割り当てるステップと、
各ＭＡＣ  ＰＤＵに受信機内部ＭＡＣシーケンス番号を割り当てるステップであって、前記ＭＡＣ  ＰＤＵは、前記受信機内部バーストシーケンス番号と前記受信機内部ＭＡＣシーケンス番号とに基づいて、順序通りに配送される、ステップと
をさらに含むことを特徴とする請求項２に記載の方法。
【請求項４】
前記受信機内部ＭＡＣシーケンス番号は、前記ＭＡＣ  ＰＤＵが前記ＨＡＲＱバーストから連結解除された後に、前記ＭＡＣ  ＰＤＵに割り当てられることを特徴とする請求項３に記載の方法。
【請求項５】
前記ＨＡＲＱバーストについてのリソース割り当て情報の受け取りの順序に基づいて、各ＨＡＲＱバーストに受信機内部バーストシーケンス番号を割り当てるステップと、
各ＭＡＣ  ＰＤＵに受信機内部多重化ＭＡＣシーケンス番号を割り当てるステップと、
接続毎のＭＡＣサービスデータユニット（ＳＤＵ）／フラグメントブロックをＭＡＣ  ＰＤＵから多重分離するステップと、
接続毎の各ＭＡＣ  ＳＤＵ／フラグメントブロックに受信機内部フロー毎ペイロードシーケンス番号を割り当てるステップであって、前記ＭＡＣ  ＰＤＵは、前記受信機内部バーストシーケンス番号、前記受信機内部多重化ＭＡＣシーケンス番号、および前記受信機内部フロー毎ペイロードシーケンス番号の少なくとも１つに基づいて、順序通りに配送される、ステップと
をさらに含むことを特徴とする請求項２に記載の方法。
【請求項６】
前記ＭＡＣ  ＰＤＵは、ＭＡＣ  ＰＤＵレベルのシーケンス番号を含まないことを特徴とする請求項２に記載の方法。
【請求項７】
前記ＭＡＣ  ＰＤＵは、ＭＡＣ  ＰＤＵレベルのシーケンス番号に基づいて並べ直されることを特徴とする請求項１に記載の方法。
【請求項８】
前記ＭＡＣ  ＰＤＵは、ＭＡＣサービスデータユニット（ＳＤＵ）レベルのシーケンス番号に基づいて並べ直されることを特徴とする請求項１に記載の方法。
【請求項９】
前記ＭＡＣ順序配送の活動化は、接続セットアップ時にネゴシエートされることを特徴とする請求項１に記載の方法。
【請求項１０】
前記ＭＡＣ  ＰＤＵは、必要に応じて、シーケンス番号を含むことを特徴とする請求項１に記載の方法。
【請求項１１】
媒体アクセス制御（ＭＡＣ）順序配送のための装置であって、
ハイブリッド自動再送要求（ＨＡＲＱ）バーストを受信するように構成された受信機であって、各ＨＡＲＱバーストは、少なくとも１つのＭＡＣ  ＰＤＵを含む、受信機と、
データパケットを上位層に順序通りに配送するように構成されたＭＡＣエンティティであって、前記ＭＡＣ順序配送は、ＭＡＣレベルの接続毎に活動化される、ＭＡＣエンティティと
を備えることを特徴とする装置。
【請求項１２】
前記ＭＡＣ  ＰＤＵは、ＨＡＲＱパケット順序付け情報に基づいて並べ直されることを特徴とする請求項１１に記載の装置。
【請求項１３】
前記ＭＡＣエンティティは、前記ＨＡＲＱバーストについてのリソース割り当て情報の受け取りの順序に基づいて、各ＨＡＲＱバーストに受信機内部バーストシーケンス番号を割り当て、各ＭＡＣ  ＰＤＵに受信機内部ＭＡＣシーケンス番号を割り当て、前記受信機内部バーストシーケンス番号と前記受信機内部ＭＡＣシーケンス番号とに基づいて、前記ＭＡＣ  ＰＤＵを順序通りに配送するように構成されることを特徴とする請求項１２に記載の装置。
【請求項１４】
前記ＭＡＣエンティティは、前記ＭＡＣ  ＰＤＵが前記ＨＡＲＱバーストから連結解除された後に、前記受信機内部ＭＡＣシーケンス番号を前記ＭＡＣ  ＰＤＵに割り当てるように構成されることを特徴とする請求項１３に記載の装置。
【請求項１５】
前記ＭＡＣエンティティは、前記ＨＡＲＱバーストについてのリソース割り当て情報の受け取りの順序に基づいて、各ＨＡＲＱバーストに受信機内部バーストシーケンス番号を割り当て、各ＭＡＣ  ＰＤＵに受信機内部多重化ＭＡＣシーケンス番号を割り当て、接続毎のＭＡＣサービスデータユニット（ＳＤＵ）／フラグメントブロックをＭＡＣ  ＰＤＵから多重分離し、接続毎の各ＭＡＣ  ＳＤＵ／フラグメントブロックに受信機内部フロー毎ペイロードシーケンス番号を割り当て、前記受信機内部バーストシーケンス番号、前記受信機内部多重化ＭＡＣシーケンス番号、および前記受信機内部フロー毎ペイロードシーケンス番号の少なくとも１つに基づいて、前記ＭＡＣ  ＰＤＵを順序通りに配送するように構成されることを特徴とする請求項１２に記載の装置。
【請求項１６】
前記ＭＡＣ  ＰＤＵは、ＭＡＣ  ＰＤＵレベルのシーケンス番号を含まないことを特徴とする請求項１２に記載の装置。
【請求項１７】
前記ＭＡＣエンティティは、ＭＡＣ  ＰＤＵレベルのシーケンス番号に基づいて、前記ＭＡＣ  ＰＤＵを並べ直すように構成されることを特徴とする請求項１１に記載の装置。
【請求項１８】
前記ＭＡＣエンティティは、ＭＡＣサービスデータユニット（ＳＤＵ）レベルのシーケンス番号に基づいて、前記ＭＡＣ  ＰＤＵを並べ直すように構成されることを特徴とする請求項１１に記載の装置。
【請求項１９】
前記ＭＡＣ順序配送の活動化は、接続セットアップ時にネゴシエートされることを特徴とする請求項１１に記載の装置。
【請求項２０】
前記ＭＡＣ  ＰＤＵは、必要に応じて、シーケンス番号を含むことを特徴とする請求項１１に記載の装置。
【発明の詳細な説明】
【背景技術】
【０００１】
本発明は、通信方法および通信装置に関する。エアリンクを介して受信するデータパケットは、媒体アクセス制御（ＭＡＣ）層から上位層に順序を違えて配送されることがある。例えば、ハイブリッド自動再送要求（ＨＡＲＱ）再送、自動再送要求（ＡＲＱ）再送、（例えばフラグメンテーションまたは再構築などを伴うまたは伴わない）異なるＭＡＣプロトコルデータユニット（ＰＤＵ）毎の操作に起因する同じアプリケーションの異なるデータパケットに対する異なる処理経路および時間が、データパケットが上位層に順序を違えて配送される原因となることがある。
【発明の概要】
【発明が解決しようとする課題】
【０００２】
現行のＩＥＥＥ  ８０２．１６ｍ仕様によれば、ＭＡＣ  ＰＤＵは、データトランスポート接続においてシーケンス番号（ＳＮ）フィールドを含む。しかし、必ずしもすべてのアプリケーションがＭＡＣ順序配送（ｉｎ−ｏｒｄｅｒ  ｄｅｌｉｖｅｒｙ）を必要とするわけではないので、ＳＮは、不必要なオーバヘッドとなることがある。ＭＡＣ  ＰＤＵ内にＳＮを有する場合であっても、ＭＡＣサービスデータユニット（ＳＤＵ）順序配送は、保証されないことがある。受信処理におけるＡＲＱ動作の後、多重分離機能および再構築機能が実行される。複数のフローからのＭＡＣ  ＰＤＵが、同じＭＡＣ  ＰＤＵに多重化されることがあり、多重分離機能は、異なるフローからのＭＡＣ  ＰＤＵを多重分離する。ＭＡＣ  ＰＤＵ内には、ＭＡＣ  ＳＤＵフラグメントが含まれることがあり、再構築機能は、ＳＤＵフラグメントを元のＭＡＣ  ＳＤＵに再構築する。多重分離機能および再構築機能は、ＭＡＣ  ＰＤＵ毎またはＭＡＣ  ＳＤＵ毎の操作である。そのようなＭＡＣ  ＰＤＵ毎またはＭＡＣ  ＳＤＵ毎の操作は、同じ接続におけるＭＡＣ  ＰＤＵまたはＭＡＣ  ＳＤＵに対して異なる経路または処理時間を有することがあり、非順序配送（ｏｕｔ−ｏｆ−ｏｒｄｅｒ  ｄｅｌｉｖｅｒｙ）をもたらすことがある。
【課題を解決するための手段】
【０００３】
ＭＡＣ順序配送のための方法および装置が開示される。ＭＡＣ順序配送は、接続毎に活動化することができ、接続セットアップ時にネゴシエートすることができる。非ＡＲＱ接続またはＡＲＱ接続についてのＭＡＣ順序配送は、ＨＡＲＱパケット順序付け情報を使用することによって実行することができる。あるいは、ＭＡＣ順序配送は、ＭＡＣ  ＰＤＵレベルにおけるＳＮフィールドを使用して、またはＭＡＣ  ＳＤＵレベルにおけるＳＮフィールドを使用して、実行することができる。ＭＡＣ順序配送を無効化した接続の場合、ＭＡＣ  ＰＤＵは、ＳＮフィールドを含まなくてよく、ＳＮフィールドは、必要な場合には、ＭＡＣ拡張ヘッダまたはＭＡＣサブヘッダ内に含むことができる。
【図面の簡単な説明】
【０００４】
【図１Ａ】１つまたは複数の開示される実施形態を実施できる例示的な通信システムのシステム図である。
【図１Ｂ】図１Ａに示された通信システム内で使用できる例示的な無線送受信ユニット（ＷＴＲＵ）のシステム図である。
【図１Ｃ】図１Ａに示された通信システム内で使用できる例示的な無線アクセスネットワークおよび例示的なコアネットワークのシステム図である。
【図２Ａ】ＨＡＲＱパケット順序付け情報を使用する、受信側における非ＡＲＱ接続についてのＭＡＣ順序配送の例示的な処理を示す図である。
【図２Ｂ】ＨＡＲＱパケット順序付け情報を使用する、受信側におけるＡＲＱ接続および非ＡＲＱ接続の両方についてのＭＡＣ順序配送の例示的な処理を示す図である。
【図３】ＭＡＣ順序配送のためにＨＡＲＱバースト順序付け情報を使用する、例示的なダウンリンク（ＤＬ）ＨＡＲＱ送信および再送を示す図である。
【図４】図３のＨＡＲＱバーストについての、ＨＡＲＱバースト順序付け情報を内部ＭＡＣシーケンス番号にマッピングする例示的な受信側処理を示す図である。
【図５】複数のフローが１つのＭＡＣ  ＰＤＵに多重化される、ＨＡＲＱパケット順序付け情報を使用する、受信側におけるＭＡＣ順序配送の例示的な処理を示す図である。
【図６】、別の実施形態による、ＭＡＣ  ＰＤＵ  ＳＮに基づいた、例示的なＭＡＣ順序配送を示す図である。
【図７】８０２．１６システムのための例示的なプロトコル層を示す図である。
【図８】例示的なＭＡＣ  ＳＤＵフォーマットを示す図である。
【発明を実施するための形態】
【０００５】
オーバヘッドを最低限に抑えたＭＡＣ順序配送のための実施形態が以下で説明される。実施形態は、一例としてＩＥＥＥ  ８０２．１６ｍ規格を参照して説明されるが、本明細書で開示される実施形態は、ＩＥＥＥ  ８０２．１６、８０２．１６ｍ、第３世代パートナシッププロジェクト（３ＧＰＰ）のロングタームエボリューション（ＬＴＥ）、ＬＴＥアドバンスト、高速パケットアクセス（ＨＳＰＡ）、ＨＳＰＡ＋、およびＣＤＭＡ２０００などを含むが、これらに限定されない、任意の無線通信システムに適用可能であることに留意されたい。
【０００６】
図１Ａは、１つまたは複数の開示される実施形態を実施できる例示的な通信システム１００の図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスできるようにすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【０００７】
図１Ａに示されるように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ  １０２ａ、１０２ｂ、１０２ｃ、１０２ｄの各々は、無線環境において動作および／または通信するように構成された任意のタイプのデバイスとすることができる。例を挙げると、ＷＴＲＵ  １０２ａ、１０２ｂ、１０２ｃ、１０２ｄは、無線信号を送信および／または受信するように構成することができ、ユーザ機器（ＵＥ）、移動局、固定もしくは移動加入者ユニット、ページャ、セルラ電話、携帯情報端末（ＰＤＡ）、スマートフォン、ラップトップ、ネットブック、パーソナルコンピュータ、無線センサ、および家電製品などを含むことができる。
【０００８】
通信システム１００は、基地局１１４ａおよび基地局１１４ｂも含むことができる。基地局１１４ａ、１１４ｂの各々は、ＷＴＲＵ  １０２ａ、１０２ｂ、１０２ｃ、１０２ｄの少なくとも１つと無線でインタフェースを取って、コアネットワーク１０６、インターネット１１０、および／またはネットワーク１１２などの１つまたは複数の通信ネットワークへのアクセスを円滑化するように構成された、任意のタイプのデバイスとすることができる。例を挙げると、基地局１１４ａ、１１４ｂは、トランシーバ基地局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは各々、単一の要素として示されているが、基地局１１４ａ、１１４ｂは、任意の数の相互接続された基地局および／またはネットワーク要素を含むことができることが理解されよう。
【０００９】
基地局１１４ａは、ＲＡＮ  １０４の部分とすることができ、ＲＡＮ  １０４は、他の基地局、および／または基地局コントローラ（ＢＳＣ）、無線ネットワークコントローラ（ＲＮＣ）、中継ノードなどのネットワーク要素（図示せず）も含むことができる。基地局１１４ａおよび／または基地局１１４ｂは、セル（図示せず）と呼ばれることがある特定の地理的領域内で、無線信号を送信および／または受信するように構成することができる。セルは、さらにセルセクタに分割することができる。例えば、基地局１１４ａに関連付けられたセルは、３つのセクタに分割することができる。したがって、一実施形態では、基地局１１４ａは、トランシーバを３つ、すなわち、セルのセクタ毎に１つずつ含むことができる。別の実施形態では、基地局１１４ａは、多入力多出力（ＭＩＭＯ）技術を利用することができ、したがって、セルのセクタ毎に複数のトランシーバを利用することができる。
【００１０】
基地局１１４ａ、１１４ｂは、エアインタフェース１１６を介して、ＷＴＲＵ  １０２ａ、１０２ｂ、１０２ｃ、１０２ｄの１つまたは複数と通信することができ、エアインタフェース１１６は、任意の適切な無線通信リンク（例えば、無線周波数（ＲＦ）、マイクロ波、赤外線（ＩＲ）、紫外線（ＵＶ）、可視光など）とすることができる。エアインタフェース１１６は、任意の適切な無線アクセス技術（ＲＡＴ）を使用して確立することができる。
【００１１】
より具体的には、上で言及したように、通信システム１００は、多元接続システムとすることができ、ＣＤＭＡ、ＴＤＭＡ、ＦＤＭＡ、ＯＦＤＭＡ、およびＳＣ−ＦＤＭＡなどの１つまたは複数のチャネルアクセス方式を利用することができる。例えば、ＲＡＮ  １０４内の基地局１１４ａ、およびＷＴＲＵ  １０２ａ、１０２ｂ、１０２ｃは、広帯域ＣＤＭＡ（ＷＣＤＭＡ）を使用してエアインタフェース１１６を確立できる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１２】
別の実施形態では、基地局１１４ａ、およびＷＴＲＵ  １０２ａ、１０２ｂ、１０２ｃは、ロングタームエボリューション（ＬＴＥ）および／またはＬＴＥアドバンスト（ＬＴＥ−Ａ）を使用してエアインタフェース１１６を確立できる、進化型ＵＭＴＳ地上無線アクセス（Ｅ−ＵＴＲＡ）などの無線技術を実施することができる。
【００１３】
他の実施形態では、基地局１１４ａ、およびＷＴＲＵ  １０２ａ、１０２ｂ、１０２ｃは、ＩＥＥＥ  ８０２．１６（すなわちマイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、およびＧＳＭ  ＥＤＧＥ（ＧＥＲＡＮ）などの無線技術を実施することができる。
【００１４】
図１Ａの基地局１１４ｂは、例えば、無線ルータ、ホームノードＢ、ホームｅノードＢ、またはアクセスポイントとすることができ、会社、家庭、乗物、およびキャンパスなどの局所的エリアにおける無線接続性を円滑化するための任意の適切なＲＡＴを利用することができる。一実施形態では、基地局１１４ｂ、およびＷＴＲＵ  １０２ｃ、１０２ｄは、ＩＥＥＥ  ８０２．１１などの無線技術を実施して、無線ローカルエリアネットワーク（ＷＬＡＮ）を確立することができる。別の実施形態では、基地局１１４ｂ、およびＷＴＲＵ  １０２ｃ、１０２ｄは、ＩＥＥＥ  ８０２．１５などの無線技術を実施して、無線パーソナルエリアネットワーク（ＷＰＡＮ）を確立することができる。また別の実施形態では、基地局１１４ｂ、およびＷＴＲＵ  １０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６を介して、インターネット１１０にアクセスする必要がないことがある。
【００１５】
ＲＡＮ  １０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ  １０２ａ、１０２ｂ、１０２ｃ、１０２ｄの１つまたは複数に提供するように構成された、任意のタイプのネットワークとすることができる。例えば、コアネットワーク１０６は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１Ａには示されていないが、ＲＡＮ  １０４および／またはコアネットワーク１０６は、ＲＡＮ１０４と同じＲＡＴまたは異なるＲＡＴを利用する他のＲＡＮと直接的または間接的に通信できることが理解されよう。例えば、Ｅ−ＵＴＲＡ無線技術を利用できるＲＡＮ  １０４に接続するのに加えて、コアネットワーク１０６は、ＧＳＭ無線技術を利用する別のＲＡＮ（図示せず）と通信することもできる。
【００１６】
コアネットワーク１０６は、ＰＳＴＮ  １０８、インターネット１１０、および／または他のネットワーク１１２にアクセスするための、ＷＴＲＵ  １０２ａ、１０２ｂ、１０２ｃ、１０２ｄのためのゲートウェイとしてサービスすることもできる。ＰＳＴＮ  １０８は、基本電話サービス（ＰＯＴＳ）を提供する回路交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークとデバイスとからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用できる１つまたは複数のＲＡＮに接続された、別のコアネットワークを含むことができる。
【００１７】
通信システム１００内のＷＴＲＵ  １０２ａ、１０２ｂ、１０２ｃ、１０２ｄのいくつかまたはすべては、マルチモード機能を含むことができ、すなわち、ＷＴＲＵ  １０２ａ、１０２ｂ、１０２ｃ、１０２ｄは、異なる無線リンクを介して異なる無線ネットワークと通信するための複数のトランシーバを含むことができる。例えば、図１Ａに示されたＷＴＲＵ  １０２ｃは、セルラベースの無線技術を利用できる基地局１１４ａと通信するように、またＩＥＥＥ  ８０２無線技術を利用できる基地局１１４ｂと通信するように構成することができる。
【００１８】
図１Ｂは、例示的なＷＴＲＵ  １０２のシステム図である。図１Ｂに示されるように、ＷＴＲＵ  １０２は、プロセッサ１１８と、トランシーバ１２０と、送信／受信要素１２２と、スピーカ／マイクロフォン１２４と、キーパッド１２６と、ディスプレイ／タッチパッド１２８と、着脱不能メモリ１０６と、着脱可能メモリ１３２と、電源１３４と、全地球測位システム（ＧＰＳ）チップセット１３６と、他の周辺機器１３８とを含むことができる。ＷＴＲＵ  １０２は、一実施形態との整合性を保ちながら、上記の要素の任意の部分的な組み合わせを含むことができる。
【００１９】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入出力処理、および／またはＷＴＲＵ  １０２が無線環境で動作できるようにする他の任意の機能を実行することができる。プロセッサ１１８は、トランシーバ１２０に結合することができ、トランシーバ１２０は、送信／受信要素１２２に結合することができる。図１Ｂは、プロセッサ１１８とトランシーバ１２０を別々のコンポーネントとして示しているが、プロセッサ１１８とトランシーバ１２０は、電子パッケージまたはチップ内に一緒に統合できることが理解されよう。
【００２０】
送信／受信要素１２２は、エアインタフェース１１６を介して、基地局（例えば基地局１１４ａ）に信号を送信し、または基地局から信号を受信するように構成することができる。例えば、一実施形態では、送信／受信要素１２２は、ＲＦ信号を送信および／または受信するように構成されたアンテナとすることができる。別の実施形態では、送信／受信要素１２２は、例えば、ＩＲ、ＵＶ、または可視光信号を送信および／または受信するように構成された放射器／検出器とすることができる。また別の実施形態では、送信／受信要素１２２は、ＲＦ信号と光信号の両方を送信および受信するように構成することができる。送信／受信要素１２２は、無線信号の任意の組み合わせを送信および／または受信するように構成できることが理解されよう。
【００２１】
加えて、図１Ｂでは、送信／受信要素１２２は単一の要素として示されているが、ＷＴＲＵ  １０２は、任意の数の送信／受信要素１２２を含むことができる。より具体的には、ＷＴＲＵ  １０２は、ＭＩＭＯ技術を利用することができる。したがって、一実施形態では、ＷＴＲＵ  １０２は、エアインタフェース１１６を介して無線信号を送信および受信するための２つ以上の送信／受信要素１２２（例えば複数のアンテナ）を含むことができる。
【００２２】
トランシーバ１２０は、送信／受信要素１２２によって送信される信号を変調し、送信／受信要素１２２によって受信された信号を復調するように構成することができる。上で言及したように、ＷＴＲＵ  １０２は、マルチモード機能を有することができる。したがって、トランシーバ１２０は、ＷＴＲＵ  １０２が、例えばＵＴＲＡおよびＩＥＥＥ  ８０２．１１などの複数のＲＡＴを介して通信できるようにするための、複数のトランシーバを含むことができる。
【００２３】
ＷＴＲＵ  １０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受け取ることができる。プロセッサ１１８は、スピーカ／マイクロフォン１２４、キーパッド１２６、および／またはディスプレイ／タッチパッド１２８にユーザデータを出力することもできる。加えて、プロセッサ１１８は、着脱不能メモリ１０６および／または着脱可能メモリ１３２など、任意のタイプの適切なメモリから情報を入手することができ、それらにデータを記憶することができる。着脱不能メモリ１０６は、ランダムアクセスメモリ（ＲＡＭ）、リードオンリメモリ（ＲＯＭ）、ハードディスク、または他の任意のタイプのメモリ記憶デバイスを含むことができる。着脱可能メモリ１３２は、加入者識別モジュール（ＳＩＭ）カード、メモリスティック、およびセキュアデジタル（ＳＤ）メモリカードなどを含むことができる。他の実施形態では、プロセッサ１１８は、ＷＴＲＵ  １０２上に物理的に配置されたメモリではなく、サーバまたはホームコンピュータ（図示せず）などの上に配置されたメモリから情報を入手することができ、それらにデータを記憶することができる。
【００２４】
プロセッサ１１８は、電源１３４から電力を受け取ることができ、ＷＴＲＵ  １０２内の他のコンポーネントへの電力の分配および／または制御を行うように構成することができる。電源１３４は、ＷＴＲＵ  １０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００２５】
プロセッサ１１８は、ＧＰＳチップセット１３６に結合することもでき、ＧＰＳチップセット１３６は、ＷＴＲＵ  １０２の現在位置に関する位置情報（例えば経度および緯度）を提供するように構成することができる。ＧＰＳチップセット１３６からの情報に加えて、またはその代わりに、ＷＴＲＵ  １０２は、基地局（例えば基地局１１４ａ、１１４ｂ）からエアインタフェース１１６を介して位置情報を受け取ることができ、および／または２つ以上の近くの基地局から受信した信号のタイミングに基づいて、自らの位置を決定することができる。ＷＴＲＵ  １０２は、一実施形態との整合性を保ちながら、任意の適切な位置決定方法を用いて、位置情報を獲得できることが理解されよう。
【００２６】
プロセッサ１１８は、他の周辺機器１３８にさらに結合することができ、他の周辺機器１３８は、追加的な特徴、機能、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星トランシーバ、（写真またはビデオ用の）デジタルカメラ、ユニバーサルシリアルバス（ＵＳＢ）ポート、バイブレーションデバイス、テレビトランシーバ、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００２７】
図１Ｃは、一実施形態による、ＲＡＮ  １０４およびコアネットワーク１０６のシステム図である。ＲＡＮ  １０４は、ＩＥＥＥ  ８０２．１６無線技術を利用して、エアインタフェース１１６を介してＷＴＲＵ  １０２ａ、１０２ｂ、１０２ｃと通信する、アクセスサービスネットワーク（ＡＳＮ）とすることができる。以下でさらに説明するように、ＷＴＲＵ  １０２ａ、１０２ｂ、１０２ｃの異なる機能エンティティと、ＲＡＮ  １０４と、コアネットワーク１０６との間の通信リンクは、参照点として定義することができる。
【００２８】
図１Ｃに示されるように、ＲＡＮ  １０４は、基地局１４０ａ、１４０ｂ、１４０ｃと、ＡＳＮゲートウェイ１４２とを含むことができるが、ＲＡＮ  １０４は、一実施形態との整合性を保ちながら、任意の数の基地局とＡＳＮゲートウェイとを含むことができることが理解されよう。基地局１４０ａ、１４０ｂ、１４０ｃは、各々をＲＡＮ  １０４内の特定のセル（図示せず）に関連付けることができ、各々が、エアインタフェース１１６を介してＷＴＲＵ  １０２ａ、１０２ｂ、１０２ｃと通信するための１つまたは複数のトランシーバを含むことができる。一実施形態では、基地局１４０ａ、１４０ｂ、１４０ｃは、ＭＩＭＯ技術を実施することができる。したがって、基地局１４０ａは、例えば、複数のアンテナを使用して、ＷＴＲＵ  １０２ａに無線信号を送信し、ＷＴＲＵ  １０２ａから無線信号を受信することができる。基地局１４０ａ、１４０ｂ、１４０ｃは、ハンドオフトリガリング、トンネル確立、無線リソース管理、トラフィック分類、およびサービス品質（ＱｏＳ）方針実施などの、モビリティ管理機能を提供することもできる。ＡＳＮゲートウェイ１４２は、トラフィック集約ポイントとしてサービスすることができ、ページング、加入者プロフィールのキャッシング、およびコアネットワーク１０６へのルーティングなどを担うことができる。
【００２９】
ＷＴＲＵ  １０２ａ、１０２ｂ、１０２ｃとＲＡＮ  １０４の間のエアインタフェース１１６は、ＩＥＥＥ  ８０２．１６仕様を実施する、Ｒ１参照点として定義することができる。加えて、ＷＴＲＵ  １０２ａ、１０２ｂ、１０２ｃの各々は、コアネットワーク１０６との論理インタフェース（図示せず）を確立することができる。ＷＴＲＵ  １０２ａ、１０２ｂ、１０２ｃとコアネットワーク１０６の間の論理インタフェースは、Ｒ２参照点として定義することができ、Ｒ２参照点は、認証、認可、ＩＰホスト構成管理、および／またはモビリティ管理のために使用することができる。
【００３０】
基地局１４０ａ、１４０ｂ、１４０ｃの各々の間の通信リンクは、ＷＴＲＵハンドオーバおよび基地局間でのデータの転送を円滑化するためのプロトコルを含む、Ｒ８参照点として定義することができる。基地局１４０ａ、１４０ｂ、１４０ｃとＡＳＮゲートウェイ２１５の間の通信リンクは、Ｒ６参照点として定義することができる。Ｒ６参照点は、ＷＴＲＵ  １０２ａ、１０２ｂ、１００ｃの各々に関連するモビリティイベントに基づいたモビリティ管理を円滑化するためのプロトコルを含むことができる。
【００３１】
図１Ｃに示されるように、ＲＡＮ  １０４は、コアネットワーク１０６に接続することができる。ＲＡＮ  １０４とコアネットワーク１０６の間の通信リンクは、例えばデータ転送およびモビリティ管理機能を円滑化するためのプロトコルを含む、Ｒ３参照点として定義することができる。コアネットワーク１０６は、モバイルＩＰホームエージェント（ＭＩＰ−ＨＡ）１４４と、認証認可課金（ＡＡＡ）サーバ１４６と、ゲートウェイ１４８とを含むことができる。上記の要素の各々は、コアネットワーク１０６の部分として示されているが、これらの要素は、どの１つをとっても、コアネットワーク運営体とは異なるエンティティによって所有および／または運営できることが理解されよう。
【００３２】
ＭＩＰ−ＨＡは、ＩＰアドレス管理を担うことができ、ＷＴＲＵ  １０２ａ、１０２ｂ、１０２ｃが、異なるＡＳＮの間で、および／または異なるコアネットワーク１０６の間でローミングを行えるようにすることができる。ＭＩＰ−ＨＡ  １４４は、インターネット１１０などのパケット交換ネットワークへのアクセスをＷＴＲＵ  １０２ａ、１０２ｂ、１０２ｃに提供して、ＷＴＲＵ  １０２ａ、１０２ｂ、１０２ｃとＩＰ対応デバイスの間の通信を円滑化することができる。ＡＡＡサーバ１４６は、ユーザ認証、およびユーザサービスのサポートを担うことができる。ゲートウェイ１４８は、他のネットワークとの網間接続を円滑化することができる。例えば、ゲートウェイ１４８は、ＰＳＴＮ  １０８などの回路交換ネットワークへのアクセスをＷＴＲＵ  １０２ａ、１０２ｂ、１０２ｃに提供して、ＷＴＲＵ  １０２ａ、１０２ｂ、１０２ｃと従来の陸線通信デバイスの間の通信を円滑化することができる。加えて、ゲートウェイ１４８は、ネットワーク１１２へのアクセスをＷＴＲＵ  １０２ａ、１０２ｂ、１０２ｃに提供することができ、ネットワーク１１２は、他のサービスプロバイダによって所有および／または運営される他の有線または無線ネットワークを含むことができる。
【００３３】
図１Ｃには示されていないが、ＲＡＮ  １０４は、他のＡＳＮに接続でき、コアネットワーク１０６は、他のコアネットワークに接続できることが理解されよう。ＲＡＮ  １０４と他のＡＳＮの間の通信リンクは、Ｒ４参照点として定義することができ、Ｒ４参照点は、ＲＡＮ  １０４と他のＡＳＮの間で、ＷＴＲＵ  １０２ａ、１０２ｂ、１０２ｃのモビリティを調整するためのプロトコルを含むことができる。コアネットワーク１０６と他のコアネットワークの間の通信リンクは、Ｒ５参照点として定義することができ、Ｒ５参照点は、ホームコアネットワークと訪問先コアネットワークの間の網間接続を円滑化するためのプロトコルを含むことができる。
【００３４】
一実施形態によれば、ＭＡＣ順序配送は、接続毎（すなわちＭＡＣ層におけるフロー毎）に活動化することができ、接続セットアップ時にネゴシエート（すなわち有効化または無効化）することができる。異なるＭＡＣヘッダ、サブヘッダ、および拡張ヘッダ、ならびに異なるタイプの接続のための他のフィールドを含む、接続特有のＭＡＣ  ＰＤＵフォーマットを提供することができる。
【００３５】
（非ＡＲＱ接続またはＡＲＱ接続についての）ＭＡＣ順序配送は、ＨＡＲＱパケット順序付け情報（例えばＨＡＲＱチャネル識別）を使用することによって、ＭＡＣ  ＰＤＵレベルにおけるＳＮフィールド（例えば、ＭＡＣヘッダ、ＭＡＣサブヘッダ、もしくはＭＡＣ拡張ヘッダ内のＳＮフィールド）を使用することによって、またはＭＡＣ  ＳＤＵレベルにおけるＳＮフィールド（例えば、コンバージェンスサブレイヤＰＤＵ内のＳＮフィールド）を使用することによって、達成することができる。
【００３６】
ＭＡＣ順序配送を無効化した接続の場合、ＭＡＣ  ＰＤＵは、ＳＮフィールドを必要としなくてよく、ＳＮフィールドは、（例えば、フラグメンテーションまたは再構築、ＡＲＱなどのために）必要な場合には、ＭＡＣ拡張ヘッダまたはＭＡＣサブヘッダ内に含むことができる。こうすることで、ＭＡＣオーバヘッド（すなわち、ＭＡＣヘッダ、サブヘッダ、および拡張ヘッダ）が最低限に抑えられる。
【００３７】
ＨＡＲＱパケット順序付け情報を使用するＭＡＣ順序配送のための一実施形態について説明する。図２Ａは、ＨＡＲＱパケット順序付け情報を使用する、受信側における非ＡＲＱ接続についてのＭＡＣ順序配送の例示的な処理を示している図である。物理的バースト（すなわちＨＡＲＱパケット）が、物理層２０２において受け取られる。ＨＡＲＱ増加的冗長性（ＩＲ）を用いて、ＨＡＲＱパケットは、異なるサブパケットに符号化することができる（すなわち、ＨＡＲＱパケットの送信と再送は、異なるサブパケットを伝送することができる）。サブパケットの使用は、ＨＡＲＱパケット順序付け情報を使用するＭＡＣ順序配送操作を変化させない。したがって、簡潔さのため、ＨＡＲＱ  ＩＲ再送におけるサブパケットを区別することなく、以下の実施形態を説明する。
【００３８】
１つまたは複数のＭＡＣ  ＰＤＵは、連結して、同じ物理的バースト内に収めることができる。同じＨＡＲＱパケット内に含まれるＭＡＣ  ＰＤＵは、連結解除エンティティ２０４によって連結解除される。連結解除後、セキュリティが有効化されたＭＡＣ  ＰＤＵは、セキュリティ機能エンティティ２０６によって処理され、そうでない場合は、セキュリティ機能はバイパスされる。セキュリティチェック後、ＡＲＱ接続上のＭＡＣ  ＰＤＵは、ＡＲＱ動作のために、ＡＲＱエンティティ２０８によって処理される（すなわち、紛失したＭＡＣ  ＰＤＵが、ＳＮに基づいて識別され、ＡＲＱフィードバックが、自動再送動作のために、送信側に送られる）。ＡＲＱ接続上のＭＡＣ  ＰＤＵは、以下で説明する別の実施形態によれば、ＭＡＣ  ＰＤＵ  ＳＮに基づいて、並べ直すことができる。非ＡＲＱ接続の場合、ＭＡＣ  ＰＤＵは、ＨＡＲＱパケット順序付け情報に基づいて、順序配送エンティティ２１０によって並べ直され、受信機処理経路における次の処理エンティティ（すなわちアンパッキングエンティティ２１２）に配送される。
【００３９】
一代替的実施形態として、図２Ｂは、ＡＲＱ接続および非ＡＲＱ接続の両方についてＨＡＲＱパケット順序付け情報を使用する、受信側におけるＭＡＣ順序配送の例示的な処理を示している図である。図２Ｂに示されるように、ＭＡＣ順序配送は、ＡＲＱ接続上のＭＡＣ  ＰＤＵの場合も、ＨＡＲＱパケット順序付け情報に基づいて実行することができる。図２Ｂでは、ＭＡＣ  ＰＤＵをＨＡＲＱパケット順序付け情報に基づいて並べ直すことができるように、順序配送機能が、ＡＲＱエンティティ２０８の後に実行される。ＨＡＲＱパケット順序付け情報に基づいたＭＡＣ  ＰＤＵ並べ直しの例は、図３および図４を参照して詳細に説明される。
【００４０】
ＭＡＣ  ＰＤＵは、図２Ａに示されるように、非ＡＲＱ接続の場合は順序配送エンティティ２１０から、ＡＲＱ接続の場合はＡＲＱエンティティ２０８から、順序通りに出てくる。あるいは、ＭＡＣ  ＰＤＵは、図２Ｂに示されるように、ＡＲＱ接続の場合も非ＡＲＱ接続の場合もともに順序配送エンティティ２１０から、順序通りに出てくる。同じ接続からのＭＡＣ  ＳＤＵまたはＳＤＵフラグメントを有するＭＡＣ  ＰＤＵは、アンパッキングエンティティ２１２に転送される。アンパッキングエンティティ２１２は、ＭＡＣ  ＰＤＵからＭＡＣ  ＳＤＵまたはＳＤＵフラグメントを取り出す。ＳＤＵフラグメントは、再構築エンティティ２１４によってＭＡＣ  ＳＤＵに再構築される。その後、ＭＡＣ  ＳＤＵは、アンパッキング順に上位層に配送される。アンパッキングエンティティ２１２は、再構築エンティティ２１４と一緒に働いて、ＭＡＣ  ＳＤＵが、対応するＭＡＣ  ＰＤＵがアンパッキングエンティティ２１２において受け取られたのと同じ順序で、配送されることを保証する。
【００４１】
図３は、ＭＡＣ順序配送のためにＨＡＲＱパケット順序付け情報を使用する、例示的なダウンリンク（ＤＬ）ＨＡＲＱ送信および再送を示している図である。８０２．１６ｍ規格では、ＨＡＲＱバースト送信のためのリソースは、アドバンストマップ（Ａ−ＭＡＰ）情報要素（ＩＥ）によって割り当てられる。Ａ−ＭＡＰ  ＩＥは、ＤＬ制御チャネルにおいて送信される。ＷＴＲＵ（例えば移動局）は、Ａ−ＭＡＰ  ＩＥを受け取り、その後、同じサブフレーム内の対応するＨＡＲＱパケットを処理する。Ａ−ＭＡＰ  ＩＥは、４ビットのＨＡＲＱチャネルＩＤ（ＡＣＩＤ）と、１ビットのＨＡＲＱバーストシーケンス番号（ＡＩ＿ＳＮ）とを含むことができる。ＡＩ＿ＳＮが、同じＡＣＩＤを有する最後に受け取ったＨＡＲＱバーストと比較して反転している場合、それは、ＨＡＲＱパケットが新しいＨＡＲＱパケットであることを示しており、反転していない場合、それは、ＨＡＲＱパケットが先のＨＡＲＱパケットの再送であることを示している。
【００４２】
図３の例では、Ａ−ＭＡＰ  ＩＥおよびバースト−ａが、フレームｎのサブフレーム０において送信される。バースト−ａは、フローＩＤ（ＦＩＤ）がそれぞれｘ、ｙ、ｐの３つのＭＡＣ  ＰＤＵを含む。Ａ−ＭＡＰ  ＩＥは、ＡＣＩＤ＝ａと、新しいＨＡＲＱバーストであることを示す反転したＡＩ＿ＳＮとを含む。バースト−ａは、正常に復号され、移動局は、ＡＣＩＤ＝ａに対する肯定応答（ＡＣＫ）を基地局に送信する。Ａ−ＭＡＰ  ＩＥおよびバースト−ｂが、フレームｎのサブフレーム６において送信される。バースト−ｂは、ＦＩＤがそれぞれｘ、ｐ、ｚの３つのＭＡＣ  ＰＤＵを含む。Ａ−ＭＡＰ  ＩＥは、ＡＣＩＤ＝ｂと、新しいＨＡＲＱバーストであることを示す反転したＡＩ＿ＳＮとを含む。バースト−ｂは、正常に復号されず、移動局は、ＡＣＩＤ＝ｂに対する否定応答（ＮＡＣＫ）を送信する。Ａ−ＭＡＰ  ＩＥおよびバースト−ｃが、フレームｎ＋１のサブフレーム０において送信される。バースト−ｃは、ＦＩＤがそれぞれｘ、ｐの２つのＭＡＣ  ＰＤＵを含む。Ａ−ＭＡＰ  ＩＥは、ＡＣＩＤ＝ｃと、新しいＨＡＲＱバーストであることを示す反転したＡＩ＿ＳＮとを含む。バースト−ｃは、正しく復号され、移動局は、ＡＣＩＤ＝ｃに対するＡＣＫを送信する。バースト−ｂが、フレームｎ＋１のサブフレーム６において再送される。Ａ−ＭＡＰ  ＩＥは、ＡＣＩＤ＝ｂと、再送されたＨＡＲＱバーストであることを示す反転していないＡＩ＿ＳＮとを含む。再送されたバースト−ｂは、正常に復号され、移動局は、ＡＣＩＤ＝ｂに対するＡＣＫを送信する。Ａ−ＭＡＰ  ＩＥおよびバースト−ｄが、フレームｎ＋２のサブフレーム０において送信される。バースト−ｄは、ＦＩＤがそれぞれｙ、ｚの２つのＭＡＣ  ＰＤＵを含む。Ａ−ＭＡＰ  ＩＥは、ＡＣＩＤ＝ｄと、新しいＨＡＲＱバーストであることを示す反転したＡＩ＿ＳＮとを含む。バースト−ｄは、正しく復号され、移動局は、ＡＣＩＤ＝ｄに対するＡＣＫを送信する。
【００４３】
ＨＡＲＱパケット順序付け情報を使用するＭＡＣ順序配送の場合、複数の受信機側「内部」シーケンス番号を使用して、ＨＡＲＱパケット順序付け情報を内部ＭＡＣシーケンス番号にマッピングすることができる。内部シーケンス番号は、ＭＡＣ  ＰＤＵの受け取り処理のために、受信機側において参照され、送信側には伝達されない。Ａ−ＭＡＰ  ＩＥの受け取り時に、ＷＴＲＵは、Ａ−ＭＡＰ  ＩＥの受け取り順序に基づいて、受信機側内部バーストＳＮ（ＲＩ−ＢＳＮ）を対応するＨＡＲＱバーストに割り当てる。ＨＡＲＱバーストは、Ａ−ＭＡＰ  ＩＥ内で与えられるＡＣＩＤおよびＡＩ＿ＳＮによって識別することができる。ＲＩ−ＢＳＮは、番号順（例えば、ｉ、ｉ＋１、ｉ＋２、．．．）とすることができるが、ＡＣＩＤは、必ずしも番号順ではない。ＲＩ−ＢＳＮは、局毎のシーケンス番号とすることができる。
【００４４】
図４は、図３のＨＡＲＱバーストについての、ＨＡＲＱパケット順序付け情報を内部ＭＡＣシーケンス番号にマッピングする例示的な受信側処理を示している図である。受け取ったＡ−ＭＡＰ  ＩＥに基づいたＨＡＲＱバーストの順序は、図４（ａ）に示すように、バーストａ、ｂ、ｃ、ｄである。ＷＴＲＵは、図４（ｂ）に示すように、その順序のＨＡＲＱバーストにＲＩ−ＢＳＮを（すなわち、バーストａにＲＩ−ＢＳＮ  ｉを、バーストｂにＲＩ−ＢＳＮ  ｉ＋１を、バーストｃにＲＩ−ＢＳＮ  ｉ＋２を、バーストｄにＲＩ−ＢＳＮ  ｉ＋３を）割り当てる。
【００４５】
ＨＡＲＱバースト（初期送信または再送）を正常に受信した後、ＨＡＲＱバーストは連結解除される（すなわち、ＨＡＲＱバースト内に含まれるＭＡＣ  ＰＤＵが取り出される）。連結解除順序は、正常に復号されたＨＡＲＱバーストの順序と同じとすることができるが、ＨＡＲＱパケット到着順序とは同じでないことがある。例えば、図４では、バーストｃは、バーストｂよりも先に連結解除されることがある。図４（ｃ）および図４（ｄ）は、ＨＡＲＱバースト到着順序と、正常復号順序とを示している。ＷＴＲＵは、関連するＲＩ−ＢＳＮに基づいて、どのＨＡＲＱバーストが順序通りでないかを決定する。
【００４６】
図４（ｅ）は、連結解除されたＭＡＣ  ＰＤＵを示しており、連結解除されたＭＡＣ  ＰＤＵは、連結解除エンティティ２０４から順序配送エンティティ２０８に転送することができる。ＭＡＣ  ＰＤＵを連結解除する場合、ＭＡＣ順序配送を必要としないフロー上のＭＡＣ  ＰＤＵ（例えば、図３および図４におけるＦＩＤ＝ｐのＭＡＣ  ＰＤＵ）は、受信処理経路上の次の処理モジュール（例えば、有効な場合はセキュリティ機能エンティティ２０６）に直ちに送ることができるが、ＭＡＣ順序配送を必要とするフロー上のＭＡＣ  ＰＤＵ（例えば、図３および図４におけるＦＩＤ＝ｘ、ｙ、ｚのＭＡＣ  ＰＤＵ）は、すべての先行するＨＡＲＱバーストが正常に復号されるか、または失敗するまで、関連するＲＩ−ＢＳＮを伴って、ＭＡＣ  ＰＤＵ並べ直しバッファ内に一緒に保持することができる。このようにして、ＭＡＣ順序配送を必要とするフローについてのＭＡＣ  ＰＤＵは、送信順序と同じ順序に置かれる（すなわち順序配送）。
【００４７】
連結解除後、ＭＡＣ順序配送を必要とするフロー上の各ＭＡＣ  ＰＤＵに、受信機側内部ＭＡＣシーケンス番号（ＲＩ−ＭＳＮ）が割り当てられ、ＲＩ−ＭＳＮは、ＭＡＣ  ＰＤＵとともに、受信経路上の次の処理モジュールに送られる。図４（ｆ）に示されるように、フローｘの場合、バースト−ａ内のＦＩＤ＝ｘのＭＡＣ  ＰＤＵには、ＲＩ−ＭＳＮ  ｉxが割り当てられ、バースト−ｂ内のＦＩＤ＝ｘのＭＡＣ  ＰＤＵには、ＲＩ−ＭＳＮ  ｉx＋１が割り当てられ、バースト−ｃ内のＦＩＤ＝ｘのＭＡＣ  ＰＤＵには、ＲＩ−ＭＳＮ  ｉx＋２が割り当てられる。フローｙの場合、バースト−ａ内のＦＩＤ＝ｙのＭＡＣ  ＰＤＵには、ＲＩ−ＭＳＮ  ｉyが割り当てられ、バースト−ｄ内のＦＩＤ＝ｙのＭＡＣ  ＰＤＵには、ＲＩ−ＭＳＮ  ｉy＋１が割り当てられる。フローｚの場合、バースト−ｂ内のＦＩＤ＝ｚのＭＡＣ  ＰＤＵには、ＲＩ−ＭＳＮ  ｉzが割り当てられ、バースト−ｄ内のＦＩＤ＝ｚのＭＡＣ  ＰＤＵには、ＲＩ−ＭＳＮ  ｉz＋１が割り当てられる。ＲＩ−ＭＳＮは、フロー毎のシーケンス番号とすることができ、上位層（例えばコンバージェンスサブレイヤ）へのＭＡＣ  ＰＤＵ配送順序を保つために、他の受信処理モジュールによって使用することができる。
【００４８】
８０２．１６ｍでは、複数のフローからの複数のＭＡＣ  ＳＤＵまたはＳＤＵフラグメントは、それらのフローが同じセキュリティアソシエーションを有する限り、（「多重化」ＭＡＣ  ＰＤＵと呼ばれる）１つのＭＡＣ  ＰＤＵに多重化することができる。多重化される場合、複数のフローは、ＭＡＣ順序配送に関して異なる構成を有することができ、セキュリティ処理後に、各多重化フローについてのＭＡＣ  ＰＤＵペイロードを取り出すことができる。したがって、連結解除の時点で、多重化ＭＡＣ  ＰＤＵは、多重化フローについてのＭＡＣ  ＰＤＵペイロードに対して並べ直し処理を実行するための情報を有さないことがある。
【００４９】
図５は、複数のフローが１つのＭＡＣ  ＰＤＵに多重化される、ＨＡＲＱパケット順序付け情報を使用する、受信側におけるＭＡＣ順序配送の例示的な処理を示している図である。一実施形態によれば、並べ直し機能（すなわち順序配送機能５１２）は、多重分離エンティティ５０８の後に移動することができる。物理的バースト（すなわちＨＡＲＱパケット）が、物理層５０２において受け取られる。１つまたは複数のＭＡＣ  ＰＤＵは、連結して、同じ物理バースト内に収めることができる。同じＨＡＲＱパケット内に含まれるＭＡＣ  ＰＤＵは、連結解除エンティティ５０４によって連結解除される。連結解除時に、ＭＡＣ順序配送を必要とするフロー上の各多重化ＭＡＣ  ＰＤＵには、連結解除の順序に基づいて、受信機側内部多重化シーケンス番号（ＲＩ−ＸＳ）が割り当てられる。複数のフローが１つのＭＡＣ  ＰＤＵに多重化されるので、このステージでは、ＭＡＣ  ＰＤＵは、フロー毎に分離されないことがある（すなわち、ＭＡＣ  ＳＤＵまたはフラグメントブロックは、多重分離後に分離することができる）。
【００５０】
連結解除後、セキュリティが有効化されたＭＡＣ  ＰＤＵは、セキュリティ機能エンティティ５０６によって処理され、そうでない場合は、セキュリティ機能はバイパスされる。セキュリティチェック後、複数の接続のＭＡＣ  ＳＤＵ／フラグメントがＭＡＣ  ＰＤＵ内に多重化されている場合、ＭＡＣ  ＰＤＵは、多重分離エンティティ５０８によって処理される。多重分離時に、接続毎の各ＭＡＣ  ＳＤＵ／フラグメントブロックが、ＭＡＣ  ＰＤＵから取り出され、各ＭＡＣ  ＳＤＵ／フラグメントブロックには、受信機側フロー毎ペイロードシーケンス番号（ＲＩ−ＰＳＮ）が割り当てられる。
【００５１】
多重分離後、ＡＲＱ接続上のＭＡＣ  ＰＤＵおよび多重化された接続毎のＭＡＣ  ＳＤＵ／フラグメントブロックは、ＡＲＱ動作のために、ＡＲＱエンティティ５０６によって処理される（すなわち、紛失したＭＡＣ  ＰＤＵまたは多重化された接続毎のブロックが、ＳＮに基づいて識別され、ＡＲＱフィードバックが、自動再送動作のために、送信側に送られる）。ＡＲＱ接続上のＭＡＣ  ＰＤＵおよび多重化された接続毎のＭＡＣ  ＳＤＵ／フラグメントブロックは、ＭＡＣ  ＰＤＵ  ＳＮに基づいて、並べ直すことができる。あるいは、ＡＲＱ接続上のＭＡＣ順序配送は、ＲＩ−ＢＳＮ、ＲＩ−ＸＳＮ、およびＲＩ−ＰＳＮ内のＨＡＲＱ順序付け情報を用いて、実行することもできる。
【００５２】
順序配送エンティティ５１２は、ＲＩ−ＢＳＮ、ＲＩ−ＸＳＮ、およびＲＩ−ＰＳＮに基づいて、接続毎のＭＡＣ  ＰＤＵおよび多重化されたＳＤＵ／フラグメントブロックを順序通りに並べ直す。ＭＡＣ  ＰＤＵおよび多重化されたＳＤＵ／フラグメントブロックは、アンパッキングエンティティ５１４に転送され、アンパッキングエンティティ５１４は、ＭＡＣ  ＰＤＵおよび多重化された接続毎のＭＡＣ  ＳＤＵ／フラグメントブロックから、ＭＡＣ  ＳＤＵまたはＳＤＵフラグメントを取り出す。ＳＤＵフラグメントは、再構築エンティティ５１６によって、ＭＡＣ  ＳＤＵに再構築される。その後、ＭＡＣ  ＳＤＵは、アンパッキング順に上位層に配送される。アンパッキングエンティティ５１４は、再構築エンティティ５１６と一緒に働いて、ＭＡＣ  ＳＤＵが、対応する接続毎のＭＡＣ  ＳＤＵ／フラグメントブロックがアンパッキングエンティティ５１４において受け取られたのと同じ順序で、配送されることを保証する。
【００５３】
多重化を伴わないＭＡＣ  ＰＤＵは、多重化の特殊ケース（すなわち、１つのフロー上のペイロードの多重化）と見なすことができ、図２Ａおよび図５の上記の２つの処理は、組み合わせることができる（すなわち、図５の処理は、多重化されたＭＡＣ  ＰＤＵと多重化されていないＭＡＣ  ＰＤＵの両用に変更することができる）。より具体的には、連結解除エンティティ５０４は、ＭＡＣ  ＰＤＵを連結解除した後、３つ組み（ＭＡＣ  ＰＤＵ、ＲＩ−ＢＳＮ、ＲＩ−ＸＳＮ）を受信経路上の次の処理モジュールに送る。多重分離エンティティ５０８は、ＲＩ−ＢＳＮとＲＩ−ＸＳＮを使用して、順序通りでないＭＡＣ  ＰＤＵフロー毎ペイロードを検出し、必要な並べ直しを実行し、ＲＩ−ＰＳＮをＭＡＣ  ＰＤＵフロー毎ペイロードに割り当てる。順序配送エンティティ５１２は、ＲＩ−ＰＳＮを用いて、ＭＡＣ  ＰＤＵまたはフロー毎のＭＡＣ  ＳＤＵ／フラグメントブロックを並べ直す。多重化を伴わないＭＡＣ  ＰＤＵも、多重化の特殊ケースとして扱われるので、多重分離エンティティ５０８に送られる。
【００５４】
現行の８０２．１６ｍ仕様によれば、ＷＴＲＵは、サブフレーム内に複数のユニキャスト割り当てを有することができる。ＷＴＲＵがサブフレーム内に複数のユニキャスト割り当てを有する場合、すべてのバーストは時間領域において同じサブフレーム内に存在し、バースト受信の順序は受信処理に依存することがあるので、Ａ−ＭＡＰ  ＩＥの順序は、ＷＴＲＵにおいて受信したバーストの順序とは異なることがある。Ａ−ＭＡＰ  ＩＥとユニキャストデータバーストについての受信処理は、同じ受信順序をもたらさないことがある。したがって、Ａ−ＭＡＰ  ＩＥ受信順序は、ＨＡＲＱバースト受信順序として使用することはできない。
【００５５】
一実施形態によれば、再送を含まないＨＡＲＱバースト送信の受信順序を使用して、ＲＩ−ＢＳＮを割り当てることができ、ＨＡＲＱバーストは、Ａ−ＭＡＰ  ＩＥ内のＡＣＩＤおよびＡＳ＿ＳＮフィールドによって依然として識別される。データ取り出し手順（すなわち、ＨＡＲＱ受信機側におけるＨＡＲＱバーストからのデータの取り出し）は、データマッピング手順（すなわち、ＨＡＲＱ送信機側におけるＨＡＲＱバースト内へのデータの収容）の順序を保つことが仮定される。ＡＣＩＤと反転したＡＩ＿ＳＮによって識別される新しい各ＨＡＲＱバーストには、新しいＨＡＲＱバーストが正常に復号されたかどうかに係わらず、ＲＩ−ＢＳＮが割り当てられる。このようにして、ＲＩ−ＢＳＮは、ＨＡＲＱバースト送信順序を表すことができる。
【００５６】
図６は、別の実施形態による、ＭＡＣ  ＰＤＵ  ＳＮに基づいた、例示的なＭＡＣ順序配送を示している図である。ＭＡＣ接続（ＡＲＱ接続または非ＡＲＱ接続）についてのＭＡＣ順序配送のために、ＭＡＣ  ＰＤＵレベルのＳＮが使用される場合、各ＭＡＣ  ＰＤＵは、ＳＮフィールドを有することができ、ＳＮフィールドは、ＭＡＣヘッダまたはＭＡＣ拡張ヘッダ内に存在することができる。
【００５７】
物理的バースト（すなわちＨＡＲＱパケット）が、物理層６０２において受け取られる。１つまたは複数のＭＡＣ  ＰＤＵは、連結して、同じ物理バースト内に収めることができる。同じＨＡＲＱパケット内に含まれるＭＡＣ  ＰＤＵは、連結解除エンティティ６０４によって連結解除される。連結解除後、セキュリティが有効化されたＭＡＣ  ＰＤＵは、セキュリティ機能エンティティ６０６によって処理され、そうでない場合は、セキュリティ機能はバイパスされる。セキュリティチェック後、複数の接続からのＭＡＣ  ＳＤＵまたはＳＤＵフラグメントの複数のブロックを有するＭＡＣ  ＰＤＵは、多重分離エンティティ６０８によって、接続毎のＭＡＣ  ＳＤＵ／フラグメントブロックに多重分離される。ＡＲＱ接続上のＭＡＣ  ＰＤＵおよび多重化された接続毎のＭＡＣ  ＳＤＵ／フラグメントブロックは、ＡＲＱ動作のために、ＡＲＱエンティティ６１０によって処理される（すなわち、紛失したＭＡＣ  ＰＤＵおよび接続毎のＭＡＣ  ＳＤＵ／フラグメントブロックが、ＳＮに基づいて識別され、肯定応答（ＡＣＫ）フィードバックが、自動再送動作のために、送信側に送られる）。ＡＲＱ処理後のＭＡＣ  ＰＤＵ、および非ＡＲＱ接続上のＭＡＣ  ＰＤＵは、受信処理経路内の次の処理エンティティ、すなわち順序配送エンティティ６１２に転送される。順序配送エンティティ６１２は、ＭＡＣ  ＰＤＵ  ＳＮに基づいて、ＭＡＣ  ＰＤＵまたは接続毎のＭＡＣ  ＳＤＵ／フラグメントブロックを並べ直す。
【００５８】
アンパッキングエンティティ６１４は、ＭＡＣ  ＰＤＵまたは接続毎のＭＡＣ  ＳＤＵ／フラグメントブロックから、ＭＡＣ  ＳＤＵまたはＳＤＵフラグメントを取り出す。ＳＤＵフラグメントは、再構築エンティティ６１６によって、ＭＡＣ  ＳＤＵに再構築される。その後、ＭＡＣ  ＳＤＵは、アンパッキング順に上位層に配送される。アンパッキングエンティティ６１４は、再構築エンティティ６１６と一緒に働いて、ＭＡＣ  ＳＤＵが、対応するＭＡＣ  ＰＤＵがアンパッキングエンティティ６１４において受け取られたのと同じ順序で、配送されることを保証する。
【００５９】
別の実施形態によれば、ＭＡＣ  ＳＤＵレベルのＳＮを使用して、ＭＡＣ接続（ＡＲＱ接続または非ＡＲＱ接続）のＭＡＣ順序配送を達成することができる。図７は、８０２．１６システムのための例示的なプロトコル層を示している。図７には、物理層７０８とＭＡＣ層７０２が示されている。ＭＡＣ層７０２は、コンバージェンスサブレイヤ（ＣＳ）７０４と、ＭＡＣ共通部サブレイヤ７０６とを含むことができる。ＣＳ  ７０４は、外部ネットワークデータのＭＡＣ  ＳＤＵへの任意の変換またはマッピングを提供し、ＭＡＣ  ＳＤＵは、ＭＡＣサービスアクセスポイント（ＳＡＰ）７１２を介して、ＭＡＣ共通部サブレイヤ７０６によって受け取られる。図７には、ＣＳ  ＳＡＰ  ７１０と、物理ＳＡＰ  ７１４も示されている。ＭＡＣ共通部サブレイヤ７０６は、順序配送を含むコアＭＡＣ機能を、ＣＳ  ７０４に提供する。
【００６０】
一実施形態によれば、ＭＡＣ  ＳＤＵ  ８００にＳＮフィールド８０４を追加することができる。図８は、例示的なＭＡＣ  ＳＤＵ  ８００を示している。ＭＡＣ  ＳＤＵは、ペイロードヘッダ抑制インデックス（ＰＨＳＩ）８０２と、ＳＮ  ８０４と、ＣＳ  ＳＤＵフィールド８０６とを含むことができる。ＳＮ  ８０２は、接続毎とすることができる。ＣＳ  ７０４は、ＭＡＣ  ＳＤＵレベルのＳＮ  ８０４に基づいたＣＳ  ＳＤＵの順序配送を保証するのに必要な機能を実行することができる。
【００６１】
実施形態
１．ＭＡＣ順序配送のための方法。
【００６２】
２．ＨＡＲＱバーストを受信するステップを含み、各ＨＡＲＱバーストは、少なくとも１つのＭＡＣ  ＰＤＵを含む、実施形態１に記載の方法。
【００６３】
３．ＭＡＣ  ＰＤＵに収めて搬送されるデータパケットをＭＡＣ層によって上位層に順序通りに配送するステップを含み、ＭＡＣ順序配送は、ＭＡＣレベルの接続毎に活動化される、実施形態２に記載の方法。
【００６４】
４．ＭＡＣ  ＰＤＵは、ＨＡＲＱパケット順序付け情報に基づいて並べ直される、実施形態２〜３のいずれか１つに記載の方法。
【００６５】
５．ＨＡＲＱバーストについてのリソース割り当て情報の受け取りの順序に基づいて、各ＨＡＲＱバーストに受信機内部バーストシーケンス番号を割り当てるステップをさらに含む、実施形態４に記載の方法。
【００６６】
６．各ＭＡＣ  ＰＤＵに受信機内部ＭＡＣシーケンス番号を割り当てるステップを含み、
ＭＡＣ  ＰＤＵは、受信機内部バーストシーケンス番号と受信機内部ＭＡＣシーケンス番号とに基づいて、順序通りに配送される、実施形態５に記載の方法。
【００６７】
７．受信機内部ＭＡＣシーケンス番号は、ＭＡＣ  ＰＤＵがＨＡＲＱバーストから連結解除された後に、ＭＡＣ  ＰＤＵに割り当てられる、実施形態６に記載の方法。
【００６８】
８．ＨＡＲＱバーストについてのリソース割り当て情報の受け取りの順序に基づいて、各ＨＡＲＱバーストに受信機内部バーストシーケンス番号を割り当てるステップをさらに含む、実施形態２〜７のいずれか１つに記載の方法。
【００６９】
９．各ＭＡＣ  ＰＤＵに受信機内部多重化ＭＡＣシーケンス番号を割り当てるステップを含む、実施形態８に記載の方法。
【００７０】
１０．接続毎のＭＡＣ  ＳＤＵ／フラグメントブロックをＭＡＣ  ＰＤＵから多重分離するステップを含む、実施形態９に記載の方法。
【００７１】
１１．接続毎の各ＭＡＣ  ＳＤＵ／フラグメントブロックに受信機内部フロー毎ペイロードシーケンス番号を割り当てるステップを含み、ＭＡＣ  ＰＤＵは、受信機内部バーストシーケンス番号、受信機内部多重化ＭＡＣシーケンス番号、および受信機内部フロー毎ペイロードシーケンス番号の少なくとも１つに基づいて、順序通りに配送される、実施形態１０に記載の方法。
【００７２】
１２．ＭＡＣ  ＰＤＵは、ＭＡＣ  ＰＤＵレベルのシーケンス番号を含まない、実施形態２〜１１のいずれか１つに記載の方法。
【００７３】
１３．ＭＡＣ  ＰＤＵは、ＭＡＣ  ＰＤＵレベルのシーケンス番号に基づいて並べ直される、実施形態２〜１２のいずれか１つに記載の方法。
【００７４】
１４．ＭＡＣ  ＰＤＵは、ＭＡＣ  ＳＤＵレベルのシーケンス番号に基づいて並べ直される、実施形態２〜１３のいずれか１つに記載の方法。
【００７５】
１５．ＭＡＣ順序配送の活動化は、接続セットアップ時にネゴシエートされる、実施形態２〜１４のいずれか１つに記載の方法。
【００７６】
１６．ＭＡＣ  ＰＤＵは、必要に応じて、シーケンス番号を含む、実施形態２〜１５のいずれか１つに記載の方法。
【００７７】
１７．ＭＡＣ順序配送のための装置。
【００７８】
１８．ＨＡＲＱバーストを受信するように構成された受信機を備え、各ＨＡＲＱバーストは、少なくとも１つのＭＡＣ  ＰＤＵを含む、実施形態１７に記載の装置。
【００７９】
１９．データパケットを上位層に順序通りに配送するように構成されたＭＡＣエンティティを備え、ＭＡＣ順序配送は、ＭＡＣレベルの接続毎に活動化される、実施形態１８に記載の装置。
【００８０】
２０．ＭＡＣ  ＰＤＵは、ＨＡＲＱパケット順序付け情報に基づいて並べ直される、実施形態１９に記載の装置。
【００８１】
２１．ＭＡＣエンティティは、ＨＡＲＱバーストについてのリソース割り当て情報の受け取りの順序に基づいて、各ＨＡＲＱバーストに受信機内部バーストシーケンス番号を割り当てるように構成される、実施形態２０に記載の装置。
【００８２】
２２．ＭＡＣエンティティは、各ＭＡＣ  ＰＤＵに受信機内部ＭＡＣシーケンス番号を割り当てるように構成される、実施形態２１に記載の装置。
【００８３】
２３．ＭＡＣエンティティは、受信機内部バーストシーケンス番号と受信機内部ＭＡＣシーケンス番号とに基づいて、ＭＡＣ  ＰＤＵを順序通りに配送するように構成される、実施形態２２に記載の装置。
【００８４】
２４．ＭＡＣエンティティは、ＭＡＣ  ＰＤＵがＨＡＲＱバーストから連結解除された後に、受信機内部ＭＡＣシーケンス番号をＭＡＣ  ＰＤＵに割り当てるように構成される、実施形態２２〜２３のいずれか１つに記載の装置。
【００８５】
２５．ＭＡＣエンティティは、ＨＡＲＱバーストについてのリソース割り当て情報の受け取りの順序に基づいて、各ＨＡＲＱバーストに受信機内部バーストシーケンス番号を割り当てるように構成される、実施形態２０〜２４のいずれか１つに記載の装置。
【００８６】
２６．ＭＡＣエンティティは、各ＭＡＣ  ＰＤＵに受信機内部多重化ＭＡＣシーケンス番号を割り当てるように構成される、実施形態２５に記載の装置。
【００８７】
２７．ＭＡＣエンティティは、接続毎のＭＡＣ  ＳＤＵ／フラグメントブロックをＭＡＣ  ＰＤＵから多重分離するように構成される、実施形態２６に記載の装置。
【００８８】
２８．ＭＡＣエンティティは、接続毎の各ＭＡＣ  ＳＤＵ／フラグメントブロックに受信機内部フロー毎ペイロードシーケンス番号を割り当てるように構成される、実施形態２７に記載の装置。
【００８９】
２９．ＭＡＣエンティティは、受信機内部バーストシーケンス番号、受信機内部多重化ＭＡＣシーケンス番号、および受信機内部フロー毎ペイロードシーケンス番号の少なくとも１つに基づいて、ＭＡＣ  ＰＤＵを順序通りに配送するように構成される、実施形態２８に記載の装置。
【００９０】
３０．ＭＡＣ  ＰＤＵは、ＭＡＣ  ＰＤＵレベルのシーケンス番号を含まない、実施形態１８〜２９のいずれか１つに記載の装置。
【００９１】
３１．ＭＡＣエンティティは、ＭＡＣ  ＰＤＵレベルのシーケンス番号に基づいて、ＭＡＣ  ＰＤＵを並べ直すように構成される、実施形態１８〜３０のいずれか１つに記載の装置。
【００９２】
３２．ＭＡＣエンティティは、ＭＡＣ  ＳＤＵレベルのシーケンス番号に基づいて、ＭＡＣ  ＰＤＵを並べ直すように構成される、実施形態１８〜３１のいずれか１つに記載の装置。
【００９３】
３３．ＭＡＣ順序配送の活動化は、接続セットアップ時にネゴシエートされる、実施形態１８〜３２のいずれか１つに記載の装置。
【００９４】
３４．ＭＡＣ  ＰＤＵは、必要に応じて、シーケンス番号を含む、実施形態１８〜３３のいずれか１つに記載の装置。
【００９５】
上では特徴および要素を特定の組み合わせで説明したが、各特徴または要素を単独で、または他の特徴および要素との任意の組み合わせで使用できることを当業者であれば理解されよう。加えて、本明細書で説明した方法は、コンピュータまたはプロセッサによって実行する、コンピュータ可読媒体内に包含された、コンピュータプログラム、ソフトウェア、またはファームウェアで実施することができる。コンピュータ可読媒体の例は、（有線接続または無線接続を介して送信される）電子信号と、コンピュータ可読記憶媒体とを含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むが、これらに限定されない。ソフトウェアと連携するプロセッサは、ＷＴＲＵ、ＵＥ、端末、基地局、ＲＮＣ、または任意のホストコンピュータにおいて使用する無線周波数トランシーバを実施するために使用することができる。  
【図１Ａ】
2013504257.tif 000003
【図１Ｂ】
2013504257.tif 000004
【図１Ｃ】
2013504257.tif 000005
【図２Ａ】
2013504257.tif 000006
【図２Ｂ】
2013504257.tif 000007
【図３】
2013504257.tif 000008
【図４】
2013504257.tif 000009
【図５】
2013504257.tif 000010
【図６】
2013504257.tif 000011
【図７】
2013504257.tif 000012
【図８】
2013504257.tif 000013
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
媒体アクセス制御（ＭＡＣ）順序配送のための方法であって、
ハイブリッド自動再送要求（ＨＡＲＱ）バーストを受信するステップであって、各ＨＡＲＱバーストは、少なくとも１つのＭＡＣプロトコルデータユニット（ＰＤＵ）を含む、受信するステップと、
ＭＡＣ  ＰＤＵに収めて搬送されるデータパケットをＭＡＣ層によって上位層に順序通りに配送するステップであって、前記ＭＡＣ順序配送は、前記ＭＡＣ層における複数のデータフローの各々について独立に活動化される、配送するステップと
を備えることを特徴とする方法。
【請求項２】
前記ＭＡＣ  ＰＤＵは、ＨＡＲＱパケット順序付け情報に基づいて並べ直されることを特徴とする請求項１に記載の方法。
【請求項３】
前記ＨＡＲＱバーストについてのリソース割り当て情報の受け取りの順序に基づいて、各ＨＡＲＱバーストに受信機内部バーストシーケンス番号を割り当てるステップと、
各ＭＡＣ  ＰＤＵに受信機内部ＭＡＣシーケンス番号を割り当てるステップであって、前記ＭＡＣ  ＰＤＵは、前記受信機内部バーストシーケンス番号と前記受信機内部ＭＡＣシーケンス番号とに基づいて順序通りに配送される、割り当てるステップと
をさらに備えることを特徴とする請求項２に記載の方法。
【請求項４】
前記受信機内部ＭＡＣシーケンス番号は、前記ＭＡＣ  ＰＤＵが前記ＨＡＲＱバーストから連結解除された後に、前記ＭＡＣ  ＰＤＵに割り当てられることを特徴とする請求項３に記載の方法。
【請求項５】
前記ＨＡＲＱバーストについてのリソース割り当て情報の受け取りの順序に基づいて、各ＨＡＲＱバーストに受信機内部バーストシーケンス番号を割り当てるステップと、
各ＭＡＣ  ＰＤＵに受信機内部多重化ＭＡＣシーケンス番号を割り当てるステップと、
接続毎のＭＡＣサービスデータユニット（ＳＤＵ）／フラグメントブロックをＭＡＣ  ＰＤＵから多重分離するステップと、
接続毎の各ＭＡＣ  ＳＤＵ／フラグメントブロックに受信機内部フロー毎ペイロードシーケンス番号を割り当てるステップであって、前記ＭＡＣ  ＰＤＵは、前記受信機内部バーストシーケンス番号、前記受信機内部多重化ＭＡＣシーケンス番号、および前記受信機内部フロー毎ペイロードシーケンス番号の少なくとも１つに基づいて、順序通りに配送される、割り当てるステップと
をさらに備えることを特徴とする請求項２に記載の方法。
【請求項６】
前記ＭＡＣ  ＰＤＵは、ＭＡＣ  ＰＤＵレベルのシーケンス番号を含まないことを特徴とする請求項２に記載の方法。
【請求項７】
前記ＭＡＣ  ＰＤＵは、ＭＡＣ  ＰＤＵレベルのシーケンス番号に基づいて並べ直されることを特徴とする請求項１に記載の方法。
【請求項８】
前記ＭＡＣ  ＰＤＵは、ＭＡＣサービスデータユニット（ＳＤＵ）レベルのシーケンス番号に基づいて並べ直されることを特徴とする請求項１に記載の方法。
【請求項９】
前記ＭＡＣ順序配送の活動化は、接続セットアップ時にネゴシエートされることを特徴とする請求項１に記載の方法。
【請求項１０】
前記ＭＡＣ  ＰＤＵは、必要に応じて、シーケンス番号を含むことを特徴とする請求項１に記載の方法。
【請求項１１】
媒体アクセス制御（ＭＡＣ）順序配送のための装置であって、
ハイブリッド自動再送要求（ＨＡＲＱ）バーストを受信するように構成された受信機であって、各ＨＡＲＱバーストは、少なくとも１つのＭＡＣ  ＰＤＵを含む、受信機と、
データパケットを上位層に順序通りに配送するように構成されたＭＡＣエンティティであって、前記ＭＡＣ順序配送は、前記ＭＡＣ層における複数のデータフローの各々について独立に活動化される、ＭＡＣエンティティと
を備えたことを特徴とする装置。
【請求項１２】
前記ＭＡＣ  ＰＤＵは、ＨＡＲＱパケット順序付け情報に基づいて並べ直されることを特徴とする請求項１１に記載の装置。
【請求項１３】
前記ＭＡＣエンティティは、前記ＨＡＲＱバーストについてのリソース割り当て情報の受け取りの順序に基づいて、各ＨＡＲＱバーストに受信機内部バーストシーケンス番号を割り当て、各ＭＡＣ  ＰＤＵに受信機内部ＭＡＣシーケンス番号を割り当て、前記受信機内部バーストシーケンス番号と前記受信機内部ＭＡＣシーケンス番号とに基づいて、前記ＭＡＣ  ＰＤＵを順序通りに配送するように構成されることを特徴とする請求項１２に記載の装置。
【請求項１４】
前記ＭＡＣエンティティは、前記ＭＡＣ  ＰＤＵが前記ＨＡＲＱバーストから連結解除された後に、前記受信機内部ＭＡＣシーケンス番号を前記ＭＡＣ  ＰＤＵに割り当てるように構成されることを特徴とする請求項１３に記載の装置。
【請求項１５】
前記ＭＡＣエンティティは、前記ＨＡＲＱバーストについてのリソース割り当て情報の受け取りの順序に基づいて、各ＨＡＲＱバーストに受信機内部バーストシーケンス番号を割り当て、各ＭＡＣ  ＰＤＵに受信機内部多重化ＭＡＣシーケンス番号を割り当て、接続毎のＭＡＣサービスデータユニット（ＳＤＵ）／フラグメントブロックをＭＡＣ  ＰＤＵから多重分離し、接続毎の各ＭＡＣ  ＳＤＵ／フラグメントブロックに受信機内部フロー毎ペイロードシーケンス番号を割り当て、前記受信機内部バーストシーケンス番号、前記受信機内部多重化ＭＡＣシーケンス番号、および前記受信機内部フロー毎ペイロードシーケンス番号の少なくとも１つに基づいて、前記ＭＡＣ  ＰＤＵを順序通りに配送するように構成されることを特徴とする請求項１２に記載の装置。
【請求項１６】
前記ＭＡＣ  ＰＤＵは、ＭＡＣ  ＰＤＵレベルのシーケンス番号を含まないことを特徴とする請求項１２に記載の装置。
【請求項１７】
前記ＭＡＣエンティティは、ＭＡＣ  ＰＤＵレベルのシーケンス番号に基づいて、前記ＭＡＣ  ＰＤＵを並べ直すように構成されることを特徴とする請求項１１に記載の装置。
【請求項１８】
前記ＭＡＣエンティティは、ＭＡＣサービスデータユニット（ＳＤＵ）レベルのシーケンス番号に基づいて、前記ＭＡＣ  ＰＤＵを並べ直すように構成されることを特徴とする請求項１１に記載の装置。
【請求項１９】
前記ＭＡＣ順序配送の活動化は、接続セットアップ時にネゴシエートされることを特徴とする請求項１１に記載の装置。
【請求項２０】
前記ＭＡＣ  ＰＤＵは、必要に応じて、シーケンス番号を含むことを特徴とする請求項１１に記載の装置。
【国際調査報告】
2013504257.tif 000014
2013504257.tif 000015
2013504257.tif 000016